(57)【特許請求の範囲】
【請求項１】
内部に詰め替え用液状内容物が収容される有底筒状の容器本体と、この容器本体の首部の下部に螺着されるキャップと、上記容器本体の首部の上部に着脱自在に嵌着される注出口を有する下向きカップ状の中栓と、上記注出口を栓する栓部と、リブとを備えた詰め替え容器であって、上記栓部が、キャップの内側天井面から垂下した円柱状の上側栓部と、その上側栓部の円柱状の下面から垂下した、上側栓部よりも小径の円柱状の下側栓部とから構成され、上記中栓が、上記栓部の下側栓部に対応する注出口をもつ第１の中栓と、上記栓部の上側栓部に対応する注出口をもつ第２の中栓のいずれか一方から構成されていて、上記リブが上記キャップの天井面から下方に突設された円環状で構成され、閉蓋状態でその下側周壁が上記中栓の上側小径部に外嵌状に当接していることを特徴とする詰め替え容器。
【発明の詳細な説明】
【技術分野】
【０００１】
本発明は、詰め替え用の液状内容物を収容する詰め替え容器に関するものである。
【背景技術】
【０００２】
従来から、化粧料，食料品等の各種の内容物を収容しておく容器では、資源の有効活用を図る観点から、詰め替え容器（それ自体に収容した内容物を別の容器に詰め替えるタイプの容器）を用い、内容物のみを詰め替えることで、容器そのものを継続して使用できるようにしている。このような詰め替え容器として、図１０示すような容器が提案されている。この容器は、容器本体３１と、この容器本体３１の首部３１ａに螺着するキャップ３２とからなり、上記容器本体３１を、胴部３１ｂの上端部において上下に２分割し、その下側分割部分３３（胴部３１ｂのうち、上端部を除いた部分）と上側分割部分３４（胴部３１ｂの上端部と首部３１ａとからなる部分）とを螺着する構造（図１１参照）としている。
【０００３】
図１１において、３３ａは上記下側分割部分３３の上端開口部の外周面に形成されたねじ部で、３４ａは上記上側分割部分３４の下端開口部の内周面に形成され上記下側分割部分３３のねじ部３３ａに螺合するねじ部である。また、３２ａは上記蓋体３２の内周面に形成されたねじ部で、３１ｃは上記容器本体３１の首部３１ａの外周面に形成され上記蓋体３２のねじ部３２ａに螺合するねじ部である。
【０００４】
そして、容器本体３１内に詰め替え用の内容物（図示せず）を収容する場合には、上記両分割部分３３，３４を分割した状態で下側分割部分３３内に内容物を収容したのち上記両分割部分３３，３４を螺合することを行う。また、上記胴部３１ｂ内の内容物を他の容器（図示せず）に詰め替える場合には、キャップ３２を容器本体３１の首部３１ａから取り外し、この首部３１ａの注出口３５から内容物を注出して他の容器の注出口に注入することを行う。
【発明の開示】
【発明が解決しようとする課題】
【０００５】
しかしながら、上記の容器では、その内容物を他の容器に詰め替える際に、誤って上記両分割部分３３，３４を分割し、内容物を外部に流出させてしまうというおそれがある。しかも、内容物の詰め替えの際に、キャップ３２を開方向に回転させると、この回転力で上側分割部分３４も開方向に回転させられるため、上記内容物の詰め替えを繰り返し行うと、キャップ３２の回転に連れ回りして上記両分割部分３３，３４のねじ結合が緩み、上記両分割部分３３，３４が分割して内容物が外部に流出するというおそれがある。
【０００６】
本発明は、このような事情に鑑みなされたもので、誤って中栓を開けることがなく、しかも、キャップを繰り返し開けても中栓が緩むことのない詰め替え容器の提供をその目的とする。
【課題を解決するための手段】
【０００７】
上記の目的を達成するため、本発明の詰め替え容器は、内部に詰め替え用液状内容物が収容される有底筒状の容器本体と、この容器本体の首部の下部に螺着されるキャップと、上記容器本体の首部の上部に着脱自在に嵌着される注出口を有する下向きカップ状の中栓と、上記注出口を栓する栓部と、リブとを備えた詰め替え容器であって、上記栓部が、キャップの内側天井面から垂下した円柱状の上側栓部と、その上側栓部の円柱状の下面から垂下した、上側栓部よりも小径の円柱状の下側栓部とから構成され、上記中栓が、上記栓部の下側栓部に対応する注出口をもつ第１の中栓と、上記栓部の上側栓部に対応する注出口をもつ第２の中栓のいずれか一方から構成されていて、上記リブが上記キャップの天井面から下方に突設された円環状で構成され、閉蓋状態でその下側周壁が上記中栓の上側小径部に外嵌状に当接しているという構成をとる。
【発明の効果】
【０００８】
すなわち、本発明の詰め替え容器では、これに詰め替え用液状内容物を収容する場合には、上記容器本体の首部の下部に螺着したキャップを開方向に回転させて取り外し、つぎに、上記首部の上部から中栓を取り外し、その状態で、上記首部の上面開口（すなわち、注出口）から胴部内に内容物を流入させたのち、上記首部の上部に中栓を固定し、上記首部の下部にキャップを螺着して上記首部の上部，中栓を覆うことを行う。また、上記胴部内の内容物を他の容器に詰め替える場合には、上記容器本体の首部に螺着したキャップを開方向に回転させて取り外し、上記首部の注出口から内容物を注出して他の容器の注出口に注入することを行う。
【０００９】
このように、本発明の詰め替え容器では、容器本体の首部の下部に螺着したキャップで上記首部の上部，中栓は覆われており、内容物を他の容器に詰め替える際には、キャップを開方向に回転させて上記首部の下部から取り外すだけでよい。このため、上記詰め替えるの際に、中栓を誤って上記首部の上部から取り外し、内容物を外部に流出させることがない。しかも、上記詰め替えの際に、キャップを開方向に回転させても、この回転力が中栓に作用しないため、上記詰め替えを繰り返し行っても、中栓が上記首部の上部から外れて内容物が外部に流出することもない。
【００１０】
本発明において、上記キャップの天井面から下向きに、上記中栓の注出口を栓する栓部が突設されている場合には、上記キャップを容器本体の首部の下部に螺着することで、キャップの栓部で中栓の注出口を栓することができる。
【００１１】
また、本発明において、上記栓部が、上記キャップの天井面から下向きに突設される上側栓部と、この上側栓部の下面から下向きに突設され上記上側栓部より小径の下側栓部とからなり、上記中栓の注出口が、上側栓部もしくは下側栓部に対応する形状に形成されている場合には、上記中栓として、その注出口が、上側栓部に対応する形状のものと、下側栓部に対応する形状のものとの２種類を準備し、内容物の種類に応じて、上記２種類の中栓を使い分けて使用することができるとともに、これら両中栓に対し同じキャップを使用することができる。
【発明を実施するための最良の形態】
【００１２】
つぎに、本発明を実施するための最良の形態について説明する。ただし、本発明は、この実施の形態に限られるものではない。
【００１３】
図１は本発明の詰め替え容器の一実施の形態を示している。図において、１は内部に詰め替え用のローション等の液状内容物（詰め替え用液状内容物）２が収容される容器本体（図２参照）であり、有底円筒状に形成されている（図３参照）。より詳しく説明すると、上記容器本体１は、図１に示すように、内部に内容物２（図１参照）が収容される有底円筒状の胴部１１と、この胴部１１の肩（すなわち、上記胴部１１の、円環状の上壁１１ａ）の内周部から立設された円筒状の首部１２とを備えている。また、上記首部１２の下部は、上記首部１２の上部より大径に形成されており、この大径の部分で円筒状のキャップ支受部１３が構成されているとともに、上記首部１２の上部で円筒状の中栓支受部１４が構成されている。また、上記キャップ支受部１３の上面開口部と中栓支受部１４の下面開口部とが円環状の連結部１５で連結されている。
【００１４】
上記キャップ支受部１３には、その外周面に、後述するキャップ４のねじ部２１ａに螺合するねじ部１３ａが形成されており、上記中栓支受部１４には、その外周面に、後述する中栓３の係合凸部１６ａに着脱自在に係合する円環状の係合凸部１４ａが突設されている。なお、上記首部１２は広口に形成されており、その上面開口の直径は２５〜５０ｍｍ程度に設定されている。
【００１５】
３は上記中栓支受部１４に支受される第１中栓であり、図５〜図７に示すように、上記中栓支受部１４に着脱自在に支受される円筒状の下側大径部１６（この下側大径部１６は可撓性を有する）と、それ自体の天井部に注出口１７ａが穿設された有天円筒状の上側小径部１７と、上記下側大径部１６の上端開口部と上側小径部１７の下端開口部とを連結する円環状の連結部１８で構成されている。
【００１６】
上記下側大径部１６には、その内周面の下端部に、上記容器本体１の係合凸部１４ａに着脱自在に係合する円環状の係合凸部１６ａが突設されており、その外周面の下端部に取り外し用のフランジ１９が突設されている。また、上記上側小径部１７には、その外周面の上端部に、上記キャップ３のリブ２３に内嵌状に当接する円環状の突条１７ｂが突設されている。また、上記連結部１８には、その下面に、上記中栓支受部１４に内嵌状に当接する円筒状の突条１８ａが突設されている。
【００１７】
４は有天円筒状に形成されたキャップであり、閉蓋状態でこのキャップ４により上記首部１２および第１中栓３は覆われている。また、上記キャップ４には、その周側壁２１の内周面に、上記容器本体１のキャップ支受部１３のねじ部１３ａに螺合するねじ部２１ａが形成されており、その天井面から栓部２２が下向きに突設されている。この栓部２２は、上記天井面に突設された円柱状の上側栓部２２ａと、この上側栓部２２ａの下面から突設されこの上側栓部２２ａより小径の下側栓部２２ｂとからなり、下側栓部２２ｂは、閉蓋状態で上記第１中栓３の注出口１７ａを栓する作用をする。また、上記上側栓部２２ａは、閉蓋状態で、後述する第２中栓５の注出口１７ａを栓する作用をする。
【００１８】
また、上記キャップ４には、その天井面から円環状のリブ２３が下向きに突設されており、閉蓋状態で上記上側小径部１７の突条１７ｂに外嵌状に当接している。また、上記リブ２３の外周部は、複数枚の補強板２４で支受されている。
【００１９】
上記第２中栓５は、図８に示すように、その上側小径部１７が、第１中栓３の上側小径部１７より高く形成され、注出口１７ａが、上記キャップ４の栓部２２の上側栓部２２ａに対応する形状（閉蓋状態で注出口１７ａを栓しうる形状）に形成されている（図９参照）。それ以外の部分は上記第１中栓３と同様であり、同様の部分には同じ符号を付している。このような第１中栓３は、内容物２がローション等、粘度の低いものの場合に用いられ、注出口１７ａの直径は１〜１．５ｍｍ程度に設定されている。また、第２中栓５は、内容物２がミルク等、粘度の高いものの場合に用いられ、注出口１７ａの直径は３〜６ｍｍ程度に設定されている。
【００２０】
上記の構成において、上記容器本体１の胴部１１に詰め替え用の内容物２を収容する場合には、上記容器本体１の首部１２のキャップ支受部１３に螺合したキャップ４を開方向に回転させてキャップ支受部１３から取り外し、つぎに、上記首部１２の中栓支受部１４に固定した第１中栓３のフランジ１９を手指で持って上方に引っ張り上げ、これにより、第１中栓３の係合凸部１６ａと中栓支受部１４の係合凸部１４ａとの係合を外して第１中栓３を中栓支受部１４から取り外す。その状態で、中栓支受部１４の上面開口から胴部１１内に内容物２を流入したのち、中栓支受部１４に第１中栓３を固定し、キャップ支受部１３にキャップ４を螺合することを行う。
【００２１】
また、上記容器本体１の胴部１１内の内容物２を他の容器（図示せず）に詰め替える場合には、キャップ４を開方向に回転させてキャップ支受部１３から取り外し、第１中栓３の注出口１７ａから内容物２を注出して上記他の容器の注出口に移し替ることを行う。
【００２２】
このように、上記実施の形態では、閉蓋状態で容器本体１の首部１２および第１中栓３はキャップ４により覆われているため、内容物２を他の容器に詰め替える際に、第１中栓３を誤って上記首部１２の中栓支受部１４から取り外し、中栓支受部１４の上面開口部から内容物２を流出させることがない。しかも、上記詰め替えの際に、キャップ４を開方向に回転させても、この回転力が第１中栓３に作用しないため、上記詰め替えを繰り返し行っても、第１中栓３が上記中栓支受部１４から外れて内容物２を流出することもない。
【００２４】
また、上記両中栓３，５を構成する材料としては、好適には、ＬＬＤＰＥ（鎖状低密度ポリエチレン）が用いられるが、ポリエチレン（ＰＥ），ＬＤＰＥ（低密度ポリエチレン）等の各種のプラスチックやエラストマーゴム等の各種のゴムが用いられる。
【図面の簡単な説明】
【００２５】
【図１】本発明の詰め替え容器の一実施の形態を示す断面図である。
【図２】上記詰め替え容器の要部を示す断面図である。
【図３】上記詰め替え容器からキャップを取り外した状態を示す平面図である。
【図４】容器本体の要部の断面図である。
【図５】第１中栓の断面図である。
【図６】上記第１中栓の平面図である。
【図７】キャップの断面図である。
【図８】第２中栓の断面図である。
【図９】上記容器本体に第２中栓を取り付けた状態を示す要部の断面図である。
【図１０】従来例を示す分解正面図である。
【図１１】上記従来例を示す分解断面図である。
【符号の説明】
【００２６】
１  容器本体
３  中栓
４  キャップ
１２  首部
１７ａ  注出口
【図１】
0005080175.tif 000002
【図２】
0005080175.tif 000003
【図３】
0005080175.tif 000004
【図４】
0005080175.tif 000005
【図５】
0005080175.tif 000006
【図６】
0005080175.tif 000007
【図７】
0005080175.tif 000008
【図８】
0005080175.tif 000009
【図９】
0005080175.tif 000010
【図１０】
0005080175.tif 000011
【図１１】
0005080175.tif 000012